(57)【要約】【課題】釣用リールにおいて、ピニオンギアを支持する軸受に海水が付着することやグリスが浸入することを抑制できる釣用リールを提供することにある。【解決手段】両軸受リール１００は、リール本体２と、スプール軸３と、ピニオンギア２５と、カラー部材８と、軸受９と、シール部材１０と、を備える。リール本体２は、軸受収容部１６aを有する。ピニオンギア２３は、スプール軸３の軸周りに回転可能である。カラー部材８は、ピニオンギア２５の外周面に装着される。カラー部材８は、ピニオンギア２５の歯部２５ｂと軸方向に隣接して配置された大径部８ａと、大径部８ａの外径よりも小径の小径部８ｂと、を有する。軸受９は、軸受収容部１６ａに配置され、カラー部材８を介してピニオンギア２５を回転可能に支持する。シール部材１０は、環状であり、軸受収容部１６の内周面とカラー部材８の大径部８ａの外周面に接触して配置される。【選択図】図３
2020150802.tif 000002
【特許請求の範囲】
【請求項１】
釣用リールであって、
軸受収容部を有するリール本体と、
前記リール本体に支持されたスプール軸と、
ギア本体と、前記ギア本体の中間部の外周面に形成された歯部を有し、前記スプール軸の軸周りに回転可能なピニオンギアと、
前記ピニオンギアの外周面に装着され、前記ピニオンギアの前記歯部と軸方向に隣接して配置された大径部と、前記大径部の外径よりも小径の小径部と、を有する筒状のカラー部材と、
前記リール本体の前記軸受収容部に配置され、前記カラー部材の前記小径部の外周面に接触する内輪を有し、前記カラー部材を介して前記ピニオンギアを回転可能に支持する軸受と、
前記リール本体の前記軸受収容部の内周面と前記カラー部材の前記大径部の外周面に接触して配置された環状のシール部材と、
を備えた、釣用リール。
【請求項２】
前記カラー部材の前記大径部の外径は、前記ピニオンギアの前記歯部の歯底の径よりも大きい、
請求項１に記載の釣用リール。
【請求項３】
前記ピニオンギアは、前記ギア本体に形成され前記カラー部材が装着される装着部を有し、
前記装着部の外径は、前記ピニオンギアの前記歯部の外径よりも小さい、
請求項１又は２に記載の釣用リール。
【請求項４】
前記シール部材は、前記カラー部材の前記大径部に近づくにつれて厚みが薄くなるリップ部を有する、
請求項１から３のいずれか１項に記載の釣用リール。
【発明の詳細な説明】
【技術分野】
【０００１】
本発明は、釣用リール、特に、スプール軸とその軸周りに回転可能なピニオンギアを支持する軸受を有する釣用リールに関する。
【背景技術】
【０００２】
従来、たとえばスプール軸の軸周りに配置され、スプールの糸繰り出し方向の回転を制動するレバードラグ機構を有する釣用リールが知られている。レバードラグ機構の一部は、リール本体のハンドル側を覆うカバー部材の内部に配置されている。カバー部材は、筒状のボス部を有しており、ボス部の内部には、ピニオンギアを回転可能に支持する軸受が配置されている。
【先行技術文献】
【特許文献】
【０００３】
【特許文献１】特開２０１０−０９９０４７号公報
【発明の概要】
【発明が解決しようとする課題】
【０００４】
従来の釣用リールでは、海水がリール本体の内部に浸入したときにピニオンギアを支持する軸受に海水が付着して、軸受の腐食や、軸受の回転性能が低下するおそれがある。また、リール本体の内部に塗布したグリスが軸受内部に浸入して回転性能が損なわれるおそれがある。このため、シール部材等を軸受に隣接して配置することが考えられるが、ピニオンギアの歯部の凹凸が防水の妨げになり、十分な効果が得られない。
【０００５】
本発明の課題は、釣用リールにおいて、ピニオンギアを支持する軸受に海水が付着することやグリスが浸入することを抑制できる釣用リールを提供することにある。
【課題を解決するための手段】
【０００６】
本発明の一側面に係る釣用リールは、リール本体と、スプール軸と、ピニオンギアと、カラー部材と、軸受と、シール部材と、を備える。リール本体は、軸受収容部を有する。スプール軸は、リール本体に回転可能に支持されている。ピニオンギアは、スプール軸の軸周りに回転可能である。ピニオンギアは、ギア本体と、ギア本体の中間部の外周面に形成された歯部と、を有する。カラー部材は、筒状であり、ピニオンギアの外周面に装着される。カラー部材は、ピニオンギアの歯部と軸方向に隣接して配置された大径部と、大径部の外径よりも小径の小径部と、を有する。軸受は、リール本体の軸受収容部に配置され、カラー部材を介してピニオンギアを回転可能に支持する。軸受は、カラー部材の小径部の外周面に接触する内輪を有する。シール部材は、環状であり、リール本体の軸受収容部の内周面とカラー部材の大径部の外周面に接触して配置される。
【０００７】
この釣用リールでは、ピニオンギアの歯部に隣接して配置されたカラー部材の大径部にシール部材が接触して配置されるので、リール本体の内部に海水が浸入したときに、海水が軸受に付着することをシール部材によって効果的に抑制することができる。また、リール本体に塗布したグリスが軸受内部に浸入することをシール部材によって効果的に抑制することができる。また、ピニオンギアがカラー部材を介して軸受に支持されるので、ピニオンギアを軸受で精度よく支持することができる。
【０００８】
好ましくは、カラー部材の大径部の外径は、ピニオンギアの歯部の歯底の径よりも大きい。この場合は、海水やグリスがピニオンギアの歯部を伝ってきたときに、大径部とシール部材とによって海水が軸受に付着することをさらに効果的に抑制することができる。
【０００９】
好ましくは、ピニオンギアは、ギア本体に形成されカラー部材が装着される装着部を有し、装着部の外径は、ピニオンギアの歯部の外径よりも小さい。この場合は、ピニオンギアの装着部にカラー部材を装着したときに、ピニオンギアの歯部の端面でカラー部材の軸方向の移動を規制することができる。
【００１０】
好ましくは、シール部材は、カラー部材の大径部に近づくにつれて厚みが薄くなるリップ部を有する。この場合は、カラー部材に接触するシール部材の接触面積が小さくなるので、カラー部材の回転性能の低下を抑制することができる。
【発明の効果】
【００１１】
本発明によれば、釣用リールにおいて、ピニオンギアを支持する軸受に海水が付着することやグリスが浸入することを抑制できる釣用リールを提供することができる。
ことができる。
【図面の簡単な説明】
【００１２】
【図１】両軸受リールの斜視図。
【図２】両軸受リールの断面図。
【図３】ボス部周辺の拡大断面図。
【図４】スピニングリールの軸受収容部周辺の拡大断面図。
【発明を実施するための形態】
【００１３】
図１は、本発明の一実施形態が採用された両軸受リール（釣用リールの一例）１００の斜視図である。図２は、両軸受リール１００の断面図である。両軸受リール１００は、リール本体２と、スプール軸３と、スプール４と、ハンドル５と、回転伝達機構６と、レバードラグ機構７と、カラー部材８と、軸受９と、シール部材１０と、を備えている。
【００１４】
なお、以下の説明において、釣りを行うときに、釣糸が繰り出される方向を前、その反対方向を後という。また、左右とは、両軸受リール１００を後方から見たときの左右をいう。また、スプール軸３が延びる方向を「軸方向」、スプール軸３と直交する方向を「径方向」、スプール軸３の軸回りの方向を「周方向」という。
【００１５】
リール本体２は、フレーム１１と、フレーム１１の右側方を覆う右側カバー１２と、フレーム１１の左側方を覆う左側カバー１３と、を有している。フレーム１１は、第１側板１１ａと、第１側板１１ａと軸方向に間隔を隔てて配置された第２側板１１ｂと、第１側板１１ａと第２側板１１ｂとを連結する複数の連結部１１ｃと、を有している。第１側板１１ａ及び第２側板１１ｂは、円板状に形成されており、スプール４が通過可能な開口を有している。第２側板１１ｂは、左側カバー１３と一体に形成されているが、左側カバー１３と別体であってもよい。
【００１６】
右側カバー１２は、膨出部１５と、ボス部１６と、ボス部１７と、を有している。膨出部１５は、第１側板１１ａから径方向及び軸方向に膨出するように形成されている。膨出部１５は、第１側板１１ａよりも前方かつ下方に膨出して形成されている。
【００１７】
ボス部１６は、円筒状であり、膨出部１５から軸方向外側に突出している。ボス部１７は、円筒状であり、ボス部１６よりも下方で膨出部１５から軸方向外側に突出している。
【００１８】
図３は、ボス部１６周辺の拡大断面図である。ボス部１６は、軸受９が配置される軸受収容部１６ａを有している。軸受収容部１６ａは、軸受９の外輪９ａに接触する支持部１６ｂを有している。軸受９は、支持部１６ｂによって軸方向外側への移動が規制されている。また、軸受収容部１６ａの内周面には、シール部材１０を装着するための装着溝１６ｃが形成されている。
【００１９】
スプール軸３は、軸方向に移動可能かつ回転不能にリール本体２に支持されている。スプール軸３は、スプール４及びボス部１６を軸方向に貫通するようにリール本体２に配置されている。
【００２０】
スプール４は、スプール軸３の外周に配置された軸受１８ａ，１８ｂを介してスプール軸３に回転自在に支持されている。軸受１８ａ，１８ｂは、スプール軸３の軸周りに装着された付勢部材１９ａ，１９ｂとスプール４とによって軸方向の移動が規制されている。スプール軸３とスプール４は、軸受１８ａ，１８ｂとともに軸方向に一体的に移動可能である。
【００２１】
ハンドル５は、リール本体２の側部に回転可能に装着されている。本実施形態では、ハンドル５は、リール本体２の右側カバー１２に回転可能に装着されている。ハンドル５は、ボス部１７の内部に配置されるワンウェイクラッチ２０によって糸繰り出し方向の回転が禁止されている。なお、ハンドル５がリール本体２の左側に配置される場合は、左側カバー１３に膨出部１５が形成される。
【００２２】
回転伝達機構６は、ハンドル５の回転をスプール４に伝達する。回転伝達機構６は、周知の変速操作機構２２を有している。変速操作機構２２は、高速巻き取り用のメインギア２３と、低速巻き取り用の第２メインギア２４と、メインギア２３にかみ合うピニオンギア２５と、第２メインギア２４にかみ合う第２ピニオンギア２６と、係合片２７と、操作軸２８と、付勢部材２９ａ，２９ｂと、を主に有している。図２では、係合片２７がメインギア２３に係合している状態を図示している。変速操作機構２２の構成は従来と同様の構成であるため、詳細な説明を省略する。
【００２３】
ピニオンギア２５は、スプール軸３の軸周りに回転可能である。図３に示すように、ピニオンギア２５は、ギア本体２５ａと、歯部２５ｂと、装着部２５ｃと、を有している。
【００２４】
ギア本体２５ａは、筒状であり、軸方向に延びている。ギア本体２５ａの内部は、スプール軸３が軸方向に貫通している。歯部２５ｂは、ギア本体２５ａの中間部の外周面に形成されており、メインギア２３にかみ合う。装着部２５ｃは、ギア本体２５ａの一端に円筒状に形成されている。本実施形態では、装着部２５ｃは、ギア本体２５ａの右端に形成されており、装着部２５ｃにはカラー部材８が装着される。装着部２５ｃの外径は、歯部２５ｂの歯先２５ｄの外径よりも小さいことが好ましい。これにより、歯部２５ｂによってカラー部材８のスプール４に近づく方向への移動を規制することができる。
【００２５】
レバードラグ機構７は、スプール４の糸繰り出し方向の回転を制動する。レバードラグ機構７の構成は従来と同様の構成であるため、簡略に説明する。レバードラグ機構７は、摩擦ディスク３１と、ドラグディスク３２と、移動機構３３と、を有している。摩擦ディスク３１は、円板状であり、スプール４のフランジの外側面に固定されている。
【００２６】
ドラグディスク３２は、ピニオンギア２５に一体回転可能に連結されている。ドラグディスク３２は、スプール軸３に装着される軸受３４によってスプール軸３に回転可能に支持されている。ドラグディスク３２は、右側カバー１２の内部に配置された図示しない逆転防止機構によって糸繰り出し方向の回転が禁止されている。ドラグディスク３２は、摩擦ディスク３１と軸方向に対向して配置される制動ディスク３２ａを有している。
【００２７】
移動機構３３は、ボス部１６の外周部に揺動可能に配置されるドラグレバー４３ａの操作に応じて、スプール軸３を軸方向に移動させるための機構である。ドラグレバー４３ａが操作されると、ドラグレバー４３ａの揺動に応じて、スプール軸３がスプール４とともに軸方向に移動する。このスプール４の移動に伴い摩擦ディスク３１が軸方向に移動して、ドラグディスク３２の制動ディスク３２ａと摩擦ディスク３１との間の摩擦力が変化する。これにより、スプール４に作用する制動力が調整される。なお図２では、ドラグディスク３２の制動ディスク３２ａと摩擦ディスク３１とが互いに接触していない状態、すなわちレバードラグ機構７によってスプール４の回転が制動されていない状態を示している。
【００２８】
カラー部材８は、筒状であり、ピニオンギア２５の外周面に装着される。本実施形態では、カラー部材８は、ピニオンギア２５の装着部２５ｃに装着される。カラー部材８は、ピニオンギア２５の装着部２５ｃに嵌合して、ピニオンギア２５と一体回転する。カラー部材８は、図３に示すように、大径部８ａと、小径部８ｂと、段差部８ｃと、を有している。
【００２９】
大径部８ａは、環状であり、ピニオンギア２５の歯部２５ｂと軸方向に隣接して配置される。本実施形態では、大径部８ａは、ピニオンギア２５の歯部２５ｂと軸方向に接触している。大径部８ａは、ピニオンギア２５の歯部２５ｂと軸受９の内輪９ｂとの間に配置されている。大径部８ａの外径は、軸受９の外輪９ａの内径よりも小さい。好ましくは、大径部８ａの外径は、ピニオンギア２５の歯部２５ｂの歯底２５ｅの径よりも大きい。より好ましくは、大径部８ａの外径は、ピニオンギア２５の歯部２５ｂの歯先２５ｄの外形よりも大きい。これにより、海水がピニオンギア２５の歯部２５ｂを伝ってきたときに、大径部８ａによって海水が軸受９に近づく方向に流れることを抑制することができる。
【００３０】
小径部８ｂは、環状であり、大径部８ａの外径よりも小径である。段差部８ｃは、大径部８ａと小径部８ｂとの間で径方向に延びている。
【００３１】
軸受９は、軸受収容部１６ａの内部に配置され、カラー部材８を介してピニオンギア２５を回転可能に支持する。軸受９は、軸受収容部１６ａの内部に例えば圧入により固定されている。軸受９の内輪９ｂは、カラー部材８の小径部８ｂの外周面に接触して配置される。すなわち、カラー部材８の小径部８ｂは、軸受９の内輪９ｂに嵌合して、内輪９ｂと一体回転する。内輪９ｂは、カラー部材８の段差部８ｃに接触している。
【００３２】
シール部材１０は、弾性変形可能な例えばゴム製の部材である。シール部材１０は、軸受収容部１６ａの内周面とカラー部材８の大径部８ａの外周面との間をシールする。詳細には、シール部材１０は、環状であり、軸受収容部１６ａの内周面とカラー部材８の大径部８ａの外周面に接触して配置されている。シール部材１０は、底部が軸受９の外輪９ａの端面に接触して配置されている。シール部材１０は、軸受収容部１６ａの装着溝１６ｃに着脱可能に装着されている。
【００３３】
シール部材１０は、好ましくは、カラー部材８の大径部８ａに近づくにつれて厚みが薄くなるリップ部１０ａを有している。リップ部１０ａは、カラー部材８の大径部８ａに近づくにつれてスプール４に近づく方向に傾斜しており、先端がカラー部材８の大径部８ａに接触して配置されている。これにより、カラー部材８に接触するシール部材１０の接触面積が小さくなるので、カラー部材８の回転性能の低下を抑制することができる。
【００３４】
上記構成の両軸受リール１００では、シール部材１０が軸受収容部１６ａの内周面とカラー部材８の大径部８ａの外周面に接触して配置されているので、右側カバー１２の内部に海水が浸入したときに、海水が軸受９に付着することをシール部材１０によって効果的に抑制することができる。また、リール本体２に塗布したグリスが軸受９の内部に浸入することをシール部材１０によって効果的に抑制することができる。また、ピニオンギア２５がカラー部材８を介して軸受９に支持されるので、ピニオンギア２５を軸受９で精度よく支持することができる。
【００３５】
＜他の実施形態＞
以上、本発明の一実施形態及びその変形例について説明したが、本発明は上記実施形態及び変形例に限定されるものではなく、発明の要旨を逸脱しない範囲で種々の変更が可能である。特に、本明細書に書かれた実施形態及び複数の変形例は必要に応じて任意に組合せ可能である。
【００３６】
前記実施形態では、回転伝達機構６が変速操作機構２２を有していたが、変速操作機構２２は省略されてもよい。すなわち、第２メインギア２４及び第２ピニオンギア２６が省略されてもよい。
【００３７】
前記実施形態では、レバードラグ機構を有する両軸受リールに本発明を採用していたが、その他の両軸受リールや、スピニングリールなどの釣用リールに上記発明を適用してもよい。例えば、図４に示すように、スピニングリール２００のリール本体１０２の軸受収容部１１６にカラー部材８を介してピニオンギア２５を回転可能に支持する軸受９を配置して、シール部材１０で軸受収容部１６１の内周面とカラー部材８の大径部８ａの外周面との間をシールしてもよい。なお、軸受収容部１６ａ，１６１などの位置は特に限定されるものではない。例えば、スピニングリール２００において、ピニオンギア２５の後端を支持する軸受をシール部材１０でシールしてもよい。
【符号の説明】
【００３８】
２  リール本体
３  スプール軸
４  スプール
７  レバードラグ機構
８  カラー部材
８ａ  大径部
８ｂ  小径部
９  軸受
９ｂ  内輪
１０  シール部材
１０ａ  リップ部
１６ａ  軸受収容部
２５  ピニオンギア
２５ａ  ギア本体
２５ｂ  歯部
２５ｃ  装着部
１００  両軸受リール（釣用リールの一例）
【図１】
2020150802.tif 000003
【図２】
2020150802.tif 000004
【図３】
2020150802.tif 000005
【図４】
2020150802.tif 000006